(57)【要約】【課題】従来の撮像装置ではレンズ光学系に起因する周辺光量落ちを電気的に乗算し補正させるため、補正後の出力信号のＳ／Ｎが劣化し、良好な補正画像を得ることができない。【解決手段】係数演算回路１９では、制御回路１８からのレンズ周辺光量条件及び駆動回路１１からの水平垂直同期基準より、メモリ２０に記憶された周辺光量係数を求め、撮像信号の各画素単位で補正係数を演算する。その求められた補正係数によって乗算回路８で撮像信号に乗算し周辺光量レベルを補正させるとともに、補正回路１０では、係数演算回路１９からの補正係数に連動した制御信号が入力され、その制御信号によってノイズ補正処理を行うものである。【選択図】図１
2006157344.tif 000002
【特許請求の範囲】
【請求項１】
ズームレンズを備えた画角調整手段と、フォーカスレンズを備えた焦点調整手段と、アイリスを備えた絞り調整手段と、撮像素子を備えた撮像手段を含む撮像装置であって、前記ズームレンズのズーム位置を検出するズーム位置検出手段と、前記フォーカスレンズのフォーカス位置を検出するフォーカス位置検出手段と、前記アイリスの絞り値を検出する絞り値検出手段と、周辺光量減衰率を記憶する記憶手段と、前記ズーム位置検出手段からのズーム位置と、前記フォーカス位置検出手段からのフォーカス位置と、前記絞り値検出手段からの絞り値の少なくとも１つの情報と、前記記憶手段からの周辺光量減衰率から補正係数を算出する係数演算手段と、前記係数演算手段からの補正係数で前記撮像素子からの撮像信号を乗算させる乗算手段と、前記乗算手段からの出力信号を前記係数演算手段からの補正係数に応じてノイズ補正させる補正手段とを備えたことを特徴とする撮像装置。
【請求項２】
記憶手段は、撮像素子上の受光領域を任意の複数画素単位でブロック分割し、ズーム位置とフォーカス位置と絞り値から算出される周辺光量減衰率を前記ブロック単位で記憶させることを特徴とする請求項１記載の撮像装置。
【請求項３】
記憶手段は、撮像素子上の受光領域を光軸中心を基準に垂直水平方向に４分割した領域に分割し、その少なくとも１領域分の範囲でズーム位置とフォーカス位置と絞り値から算出される周辺光量減衰率を記憶させることを特徴とする請求項１記載の撮像装置。
【請求項４】
ズームレンズを備えた画角調整手段と、フォーカスレンズを備えた焦点調整手段と、アイリスを備えた絞り調整手段と、撮像素子を備えた撮像手段を含む撮像装置であって、前記ズームレンズの位置を検出するズーム位置検出手段と、前記フォーカスレンズの位置を検出するフォーカス位置検出手段と、前記アイリスの絞り値を検出する絞り値検出手段と、前記ズーム位置検出手段からのズーム位置と、前記フォーカス位置検出手段からのフォーカス位置と、前記絞り値検出手段からの絞り値の少なくとも１つの情報から周辺光量減衰率の近似関数を算出し補正係数を演算する係数演算手段と、前記係数演算手段からの補正係数で前記撮像素子からの撮像信号を乗算させる乗算手段と、前記乗算手段からの出力信号を前記係数演算手段からの補正係数に応じてノイズ補正させる補正手段とを備えたことを特徴とする撮像装置。
【請求項５】
補正手段は、乗算された出力信号を係数演算手段からの補正係数に応じた帰還係数でノイズリダクション処理を行うことを特徴とする請求項１及び請求項４記載の撮像装置。
【請求項６】
補正手段は、乗算手段で乗算された出力信号から高周波数成分を取り出し、その高周波数成分に対して係数演算手段からの補正係数に応じたコアリング処理を行い、高周波成分を取り出された前記乗算手段の出力信号に再び加算させることを特徴とする請求項１及び請求項４記載の撮像装置。
【請求項７】
係数演算手段は、ズーム位置検出手段からのズーム位置と、フォーカス位置検出手段からのフォーカス位置と、絞り値検出手段からの絞り値のそれぞれの条件において、光軸中心から周辺端までの直線区間を任意の複数区間で分割し算出される周辺光量減衰率の近似関数より、撮像素子上の全ての受光領域での補正係数を演算させることを特徴とする請求項４記載の撮像装置。
【発明の詳細な説明】
【技術分野】
【０００１】
本発明は、光学レンズを有したビデオカメラやデジタルスチルカメラなどに代表される撮像装置に関するものである。
【背景技術】
【０００２】
近年、ビデオカメラやデジタルスチルカメラが一般に普及するとともに、更なる装置の小型化や高画質化が強く要望されている。
【０００３】
しかしながら、光学レンズを通して被写体を撮像する場合、撮像面の中央部の明るさよりも周辺部の明るさが暗くなる所謂周辺光量落ち現象が現れ、しかもレンズの小型化に伴いより大きな課題になっている。一般にこの現象は、主にコサイン４乗則とヴィネッティングによって生じることが知られている。
【０００４】
このような周辺光量落ちを補正するために、例えば特許文献１のように、撮像素子の受光面上の中央部に対する周辺部の光量比を求め、電気的に撮像面の周辺光量補正を行う方法がいくつか提案、開示されている。
【０００５】
以下に従来の撮像装置の一例について説明する。図８は従来の撮像装置の実装形態を示すためのブロック図である。
【０００６】
同図において、撮像する画面の画角を調整するズームレンズ１と、入射光の焦点を調整するフォーカスレンズ２と、入射光の光量を調整するアイリス３と、撮像された光を電気的な信号に変換する撮像素子４と、出力される撮像信号を相関２重サンプリング処理するＣＤＳ５と、撮像信号の出力レベルを調整するＡＧＣ６と、ＡＤ変換器７と、デジタル化された撮像信号に所定係数を乗算させる乗算回路８と、撮像信号から輝度信号及び色信号を変換処理する信号処理回路９と、ズームレンズを駆動させるズーム制御回路１２と、フォーカスレンズを駆動させるフォーカス制御回路１３と、アイリスを制御させるアイリス制御回路１４と、ズームレンズのズーム位置を検出するズーム位置検出１５と、フォーカスレンズのフォーカス位置を検出するフォーカス位置検出１６と、アイリスの絞り値を検出させるアイリス絞り値検出１７と、各レンズ及びアイリスをコントロールする制御回路１８と、補正係数を出力する係数出力回路２２からなる撮像装置である。
【０００７】
上記構成による従来の撮像装置の具体的動作について図８、図９、図１０を用いて説明する。図９は所定ズーム位置におけるレンズ中心からレンズ周辺までの光量特性を示した図であり、図１０は図９の条件から算出される補正係数特性の図である。ズームレンズ１に配置されたズーム位置検出１５よりズーム位置を検出し、フォーカスレンズ２に配置されたフォーカス位置検出１６よりフォーカス位置を検出し、アイリス絞り値検出１７よりアイリス３の絞り値をそれぞれ検出する。制御回路１８では、ズームレンズ１、フォーカスレンズ２及びアイリス３を駆動させる各コントロール信号を出力させると共に、ズームレンズ１及びフォーカスレンズ２の各位置情報、アイリス３の絞り値情報からレンズの周辺光量条件を判断する。また制御回路１８のメモリ部分には、図９に示すような各レンズ条件における周辺光量特性の固有パラメータが記憶されている。従って、制御回路１８内で判断された周辺光量条件からメモリ部分に記憶された固有パラメータを選択し、図１０に示すような補正係数特性を算出する。その求められた補正係数を係数出力回路２２を介して乗算回路８に出力し乗算補正させた後、信号処理回路９で輝度信号及び色信号に変換して出力させることにより周辺光量補正を行うものである。
【特許文献１】特開平６−１６５０２３号公報
【発明の開示】
【発明が解決しようとする課題】
【０００８】
しかしながら、上記のような従来の撮像装置においては、図１０に示すような補正係数特性を用いて周辺光量落ちを電気的に乗算し補正させると、乗算ゲインに応じてＳ／Ｎが劣化し、良好な補正画像が得られないという課題を有している。
【課題を解決するための手段】
【０００９】
本発明は、ズームレンズを備えた画角調整手段と、フォーカスレンズを備えた焦点調整手段と、アイリスを備えた絞り調整手段と、撮像素子を備えた撮像手段を含む撮像装置であって、前記ズームレンズのズーム位置を検出するズーム位置検出手段と、前記フォーカスレンズのフォーカス位置を検出するフォーカス位置検出手段と、前記アイリスの絞り値を検出する絞り値検出手段と、周辺光量減衰率を記憶する記憶手段と、前記ズーム位置検出手段からのズーム位置と、前記フォーカス位置検出手段からのフォーカス位置と、前記絞り値検出手段からの絞り値の少なくとも１つの情報と、前記記憶手段からの周辺光量減衰率から補正係数を算出する係数演算手段と、前記係数演算手段からの補正係数で前記撮像素子からの撮像信号を乗算させる乗算手段と、前記乗算手段からの出力信号を前記係数演算手段からの補正係数に応じてノイズ補正させる補正手段を備え、周辺光量落ち部分のＳ／Ｎを劣化させることなく、電気的に周辺光量落ちを十分補正させることができ、良質な画像を得ることができることを最も主要な特徴とする。
【発明の効果】
【００１０】
本発明の撮像装置は、レンズ光学系に起因する周辺光量落ちに対して、光学設計時に求められるズーム位置、フォーカス位置、絞り値に対する周辺光量特性から逆算した補正係数によって撮像信号の周辺光量レベルを電気的に補正させるとともに、この補正係数に連動させたノイズ補正処理を行うことによって周辺光量落ち部分のＳ／Ｎを劣化させることなく周辺光量落ち補正を実現させ良好な画像を得ることができる利点がある。
【発明を実施するための最良の形態】
【００１１】
本発明の請求項１に記載の発明は、ズームレンズを備えた画角調整手段と、フォーカスレンズを備えた焦点調整手段と、アイリスを備えた絞り調整手段と、撮像素子を備えた撮像手段を含む撮像装置であって、前記ズームレンズのズーム位置を検出するズーム位置検出手段と、前記フォーカスレンズのフォーカス位置を検出するフォーカス位置検出手段と、前記アイリスの絞り値を検出する絞り値検出手段と、周辺光量減衰率を記憶する記憶手段と、前記ズーム位置検出手段からのズーム位置と、前記フォーカス位置検出手段からのフォーカス位置と、前記絞り値検出手段からの絞り値の少なくとも１つの情報と、前記記憶手段からの周辺光量減衰率から補正係数を算出する係数演算手段と、前記係数演算手段からの補正係数で前記撮像素子からの撮像信号を乗算させる乗算手段と、前記乗算手段からの出力信号を前記係数演算手段からの補正係数に応じてノイズ補正させる補正手段を備えたものである。
【００１２】
請求項２に記載の発明は、記憶手段は、撮像素子上の受光領域を任意の複数画素単位でブロック分割し、ズーム位置とフォーカス位置と絞り値から算出される周辺光量減衰率を前記ブロック単位で記憶させるものである。
【００１３】
請求項３に記載の発明は、記憶手段は、撮像素子上の受光領域を光軸中心を基準に垂直水平方向に４分割した領域に分割し、その少なくとも１領域分の範囲でズーム位置とフォーカス位置と絞り値から算出される周辺光量減衰率を記憶させるものである。
【００１４】
請求項４に記載の発明は、ズームレンズを備えた画角調整手段と、フォーカスレンズを備えた焦点調整手段と、アイリスを備えた絞り調整手段と、撮像素子を備えた撮像手段を含む撮像装置であって、前記ズームレンズの位置を検出するズーム位置検出手段と、前記フォーカスレンズの位置を検出するフォーカス位置検出手段と、前記アイリスの絞り値を検出する絞り値検出手段と、前記ズーム位置検出手段からのズーム位置と、前記フォーカス位置検出手段からのフォーカス位置と、前記絞り値検出手段からの絞り値の少なくとも１つの情報から周辺光量減衰率の近似関数を算出し補正係数を演算する係数演算手段と、前記係数演算手段からの補正係数で前記撮像素子からの撮像信号を乗算させる乗算手段と、前記乗算手段からの出力信号を前記係数演算手段からの補正係数に応じてノイズ補正させる補正手段を備えたものである。
【００１５】
請求項５に記載の発明は、補正手段は、乗算された出力信号を係数演算手段からの補正係数に応じた帰還係数でノイズリダクション処理を行うものである。
【００１６】
請求項６に記載の発明は、補正手段は、乗算手段で乗算された出力信号から高周波数成分を取り出し、その高周波数成分に対して係数演算手段からの補正係数に応じたコアリング処理を行い、高周波成分を取り出された前記乗算手段の出力信号に再び加算させるものである。
【００１７】
請求項７に記載の発明は、係数演算手段は、ズーム位置検出手段からのズーム位置と、フォーカス位置検出手段からのフォーカス位置と、絞り値検出手段からの絞り値のそれぞれの条件において、光軸中心から周辺端までの直線区間を任意の複数区間で分割し算出される周辺光量減衰率の近似関数より、撮像素子上の全ての受光領域での補正係数を演算させるものである。
【００１８】
以下に、本発明の実施の形態について、図面を参照しながら説明する。
【００１９】
（実施の形態１）
図１は、本発明の撮像装置の実施の形態１におけるブロック図であって、１〜９、１２〜１８の構成要素は、図８と同様であり同一番号を付与している。
【００２０】
同図において、１は本装置で撮像する画面の画角を拡大や縮小などして調整する画角調整手段であるズームレンズ、２はズームレンズ１を介して入射される入射光の焦点を調整する焦点調整手段であるフォーカスレンズ、３はフォーカスレンズ２を介して入射される入射光の光量を調整する絞り調整手段であるアイリス、４はアイリス３を介して入射される撮像された光信号を電気的な信号に変換する撮像素子で、例えばＣＣＤイメージセンサーなどからなる。５は撮像素子４から出力される撮像信号を相関２重サンプリング処理する相関２重サンプリング処理手段であるＣＤＳ、６はＣＤＳ５からの撮像信号の出力レベルを調整する自動利得調整手段であるＡＧＣ、７はＡＧＣ６からの撮像信号（アナログ信号）をデジタル信号の撮像信号に変換するアナログデジタル変換手段であるＡＤ変換器、８はＡＤ変換器７でデジタル化された撮像信号に所定係数を乗算させる乗算手段である乗算回路、９は乗算回路８からの撮像信号から輝度信号及び色信号を変換処理する信号処理手段である信号処理回路、１０は乗算回路８からの出力信号のノイズを補正する補正手段である補正回路、１１は撮像素子４を駆動させる駆動回路で、具体的には撮像素子４における各画素から撮像信号を垂直転送レジスタ上を垂直転送したり、水平転送レジスタ上を水平転送したりして、撮像信号を出力するように動作制御するものである。１２はズームレンズ１を駆動させる画角制御手段であるズーム制御回路で、使用者がズームレバーなどの操作手段（図示せず）を操作することでズームレンズ１を光軸方向へ移動させて、画角を望遠あるいは広角に制御することができるものである。１３はフォーカスレンズ２を駆動させる焦点制御手段であるフォーカス制御回路で、フォーカスレンズ２を駆動して入射光を焦点を合焦状態にするなどの制御を行うものである。１４はアイリス３を制御させる絞り制御手段であるアイリス制御回路で、アイリス３の開度を制御するものである。１５はズームレンズ１のズーム位置を検出するズーム位置検出手段であるズーム位置検出回路、１６はフォーカスレンズ２のフォーカス位置を検出するフォーカス位置検出手段であるフォーカス位置検出回路、１７はアイリス３の絞り値を検出する絞り値検出手段であるアイリス絞り値検出回路で、ズーム位置検出部１５とフォーカス位置検出部１６と絞り値検出部１７とからの検出結果を制御回路１８へ出力している。１８は各レンズ１及び２及びアイリス３をコントロールする例えばマイコン（ＣＰＵ）のような制御手段である制御回路、１９は周辺光量レベルを補正するめの補正係数を演算する係数演算手段である係数演算回路、２０はレンズ設計時に算出されたズーム位置に対する撮像素子４の受光面位置での周辺光量係数、フォーカス位置に対する撮像素子４の受光面位置での周辺光量係数、絞り値に対する撮像素子４の受光面位置での周辺光量係数をそれぞれ記憶させる記憶手段であるメモリである。
【００２１】
以上の構成による本実施の形態の撮像装置の具体的動作について、図面を用いて説明する。
【００２２】
被写体からの撮像光は、撮像装置内のズームレンズ１、フォーカスレンズ２、アイリス３を通り、撮像素子４の受光面上に結像する。撮像素子４としては、例えばＣＣＤやＣＭＯＳセンサーなどが上げられる。撮像素子４で光電変換された撮像信号は、ＣＤＳ回路５によって相関２重サンプリングされ、ＡＧＣ回路６によってゲイン調整された後、Ａ／Ｄ変換器７によりアナログ信号からデジタル信号に変換される。
【００２３】
一方、ズームレンズ１に配置されたズームエンコーダの出力信号から、ズーム位置検出回路１２によってズーム位置情報を検出し制御回路１８に出力する。また、フォーカスレンズ２に配置されたエンコーダの出力信号から、フォーカス位置検出回路１３によってフォーカス位置情報を検出し、同じく制御回路１８に出力する。またアイリス３に配置された絞り値センサーから、アイリス絞り値検出回路１４によって絞り値を検出し、制御回路１８に出力する。
【００２４】
メモリ２０には、レンズ設計時に算出されたズーム位置に対する撮像素子４の受光面位置での周辺光量係数、フォーカス位置に対する撮像素子４の受光面位置での周辺光量係数、絞り値に対する撮像素子４の受光面位置での周辺光量係数をそれぞれ記憶させる。
【００２５】
ここでメモリ２０のメモリテーブルに記憶される周辺光量係数の関係を図２に示す。撮像素子４の受光面を水平垂直方向の２次元領域に複数分割し、それぞれに光軸中心からの周辺光量係数を記憶させるもので、そのブロック分割数はメモリ容量、補正効果等により任意に設定できるものである。またこのメモリ２０に各周辺光量係数を記憶させる手法としては、撮像装置の電源立上げ時に制御回路１８に記憶される固有パラメータあるいは固有パラメータを予め記憶させた外付けＲＯＭからデータを読み出し、メモリ２０に書き込む方法が考えられる。また光学レンズ設計が変わらない場合は、メモリ２０をＲＯＭとしてレンズ設計時の固有パラメータを記憶させても良い。
【００２６】
制御回路１８では、ズームレンズ１及びフォーカスレンズ２の位置情報と、アイリス３の絞り値情報から現在のレンズ周辺光量条件を判断し、そのレンズ周辺光量条件の情報を係数演算回路１９に出力する。係数演算回路１９では、制御回路１８からのレンズ周辺光量条件及び駆動回路１１からの水平垂直同期基準より、メモリ２０に記憶された周辺光量係数を求め、撮像信号の各画素単位で補正係数を演算する。
【００２７】
その求められた補正係数によって乗算回路８で撮像信号に乗算し、補正させることにより周辺光量レベルの補正を行う。周辺光量レベルの補正された信号は、信号処理回路９で輝度信号と色信号からなる映像信号に変換され、補正回路１０に入力される。補正回路１０では、係数演算回路１９からの補正係数に連動した制御信号が入力され、その制御信号によってノイズ補正処理を行い出力させるものである。
【００２８】
ここで補正回路１０の一例として図３を用いて説明する。但し、補正回路１０に入力される信号処理回路９からの輝度信号及び色信号は、それぞれ独立した構成要素で同様の処理を行うものであるが、説明を簡略化するため同一処理として以下に説明する。
【００２９】
信号処理回路９から出力された映像信号は、第１の減算器３１を通して出力させるとともに、フィールドあるいはフレームのメモリ３２に入力される。メモリ３２からの出力信号と入力の映像信号は、第２の減算器３３で減算処理され、帰還係数回路３４で補正係数に連動した係数演算処理をし、第１の減算器３１で入力の映像信号から減算される所謂３次元ノイズリダクション処理によって、周辺光量レベル補正に連動したＳ／Ｎ改善処理を行うものである。
【００３０】
尚、メモリ３２はラインメモリからなる２次元ノイズリダクション処理であっても良い。またメモリ３２の出力信号を、補正後の映像信号出力とする構成であっても良い。更に、補正回路１０を信号処理回路９の前に行う構成、すなわち補正回路１０で乗算回路８からの撮像信号に３次元あるいは２次元ノイズリダクション処理を行い、その後信号処理回路９で輝度信号及び色信号に変換し、出力させる構成であっても良い。また周辺光量落ち係数を初期調整時に実測し求める方式であっても良い。
【００３１】
次に補正回路１０の他の一例として図４を用いて説明する。
【００３２】
信号処理回路９から出力される輝度信号は、ハイパスフィルタ（ＨＰＦ）あるいはバンドパスフィルタ（ＢＰＦ）からなる輪郭検出回路３５により高域成分を検出し、コアリング処理回路３６を経由してノイズ成分を分離させるとともにアパーチャー加算回路３７で輪郭強調レベルを調整し加算させることで輪郭強調された信号を出力する。ここでコアリング処理回路３６のスレッシュレベル設定を補正係数に連動させて行うことにより、周辺光量レベル補正に連動したＳ／Ｎ改善処理を行うものである。
【００３３】
以上説明した補正回路１０により、周辺光量レベル補正に連動したＳ／Ｎ改善処理を行うことにより、周辺光量落ち部分でのＳ／Ｎ劣化のない周辺光量落ち補正を実現させ良好な画像を得ることができるものである。
【００３４】
尚、上記の周辺光量落ち係数を保存するメモリ２０は、ＳＲＡＭあるいはフラッシュメモリのいずれでも良い。また光学レンズ設計に変更がなく周辺光量特性が固定される場合は、ＲＯＭであっても構わない。また回路規模と補正精度を考慮し、ブロック分割数を増減させることも可能である。また少数ブロックに分割する場合、ブロック間の補正係数を補完処理で近似値してもよい。また更なるメモリ容量削減のため、図５に示すように撮像素子の全受光面の領域に対して光軸中心を基準に上下左右に分割される１／４受光面分のみの周辺光量落ち係数をブロック化させメモリ２０に書き込むものとし、残りの分割領域は、メモリ２０に書き込まれた同一データを相対的に左右反転、上下反転させて読み出すことにより受光面全体の周辺光量落ち係数とさせても良い。すなわち光軸中心に対して左上１／４の受光面領域をメモリテーブルに記憶する場合、水平のアドレス制御を反転して読み出すことで受光面の右上テーブルとして扱い、垂直のアドレス制御を反転して読み出すことで受光面の左下テーブルとして扱い、水平のアドレス制御及び垂直のアドレス制御をそれぞれ反転して読み出すことで受光面の右下テーブルとして扱うことで全ての領域を相対的に再現させることができメモリ容量を１／４にできるものである。
【００３５】
（実施の形態２）
図６は第２の実施形態に係る撮像装置のブロック図である。図６において図１と共通の構成要素には図１と同一の符号を付している。
【００３６】
実施の形態１では、各レンズ位置及び絞り値による周辺光量落ち係数をそれぞれメモリに記憶する構成としていた。これに対して本実施形態では、大規模なメモリを用いずに周辺光量落ちを補正させる構成とし、比較的に小さな回路規模で同等機能を実現することができるものである。
【００３７】
すなわち、第１の実施形態に示したメモリ２０の代わりに制御回路１８に所定の固定値を記憶する書き換え可能ＲＯＭ（ＥＥＰＲＯＭ）２１を設ける構成としたものである。
【００３８】
本構成による具体的な動作について図６を用いて以下に説明する。但し第１の実施形態と同一動作のものは説明を省略する。
【００３９】
まず、制御回路１８に接続されるＥＥＰＲＯＭ２１には予めレンズ設計時に求められる周辺光量特性を近似作成させるためのパラメータを記憶させる。制御回路１８では、ズーム位置検出回路１５からのズーム位置情報、フォーカス位置検出回路１６からのフォーカス位置情報、絞り値検出回路１７からの絞り値情報から、その時の周辺光量特性を近似演算させるためのパラメータ値をＥＥＰＲＯＭ２１より読出し、係数演算回路１９に出力する。係数演算回路１９では、そのパラメータ値より補正係数を近似演算し、演算された補正係数を乗算回路８及び補正回路１０に出力する。
【００４０】
ここで演算回路１９により演算される近似関数及びＥＥＰＲＯＭ２１に記憶するパラメータについて図７を用いて説明する。図７（ａ）はパラメータ設定を表した模式図、図７（ｂ）はパラメータから演算される近似関数の一例を示すグラフであり、ｘ軸は光軸中心からの距離、ｙ軸は周辺光量係数である。一般に周辺光量落ちは光軸中心からの距離より特性が変化するため、図７（ａ）に示すように光軸中心点からの距離を複数の区間に分割し、その設定区間とその区間毎の周辺光量係数の変化量を入力パラメータとして設定することにより近似特性を求めることができるものである。すなわち、光軸中心から周辺へ向う各区間を１つのパラメータＸ０、Ｘ１、Ｘ２・・・とし、またその各区間の周辺光量係数の変化量を別のパラメータＹ０、Ｙ１、Ｙ２・・・することにより、図７に示す近似関数を設定することができるものである。
【００４１】
図７（ｂ）では各区間を線形近似させる特性としているが、より滑らかに近似させるために２次以上関数で近似設定させることも可能である。このように求めた補正係数によって乗算回路８で撮像信号に乗算し補正させることにより、周辺光量レベルの補正を行うことができ、後段の補正回路１０において係数演算回路１９で演算し求めた近似補正係数に連動するノイズ補正を行うことができるものである。
【００４２】
以上のように周辺光量落ち係数を保存させる大規模なメモリを用いずに周辺光量レベル補正に連動したＳ／Ｎ改善処理を行うことにより、周辺光量落ち部分でのＳ／Ｎ劣化のない周辺光量落ち補正を実現させ良好な画像を得ることができるものである。
【００４３】
尚、補正回路１０として、例えばノイズ成分を含む帯域を分離し、その分離する成分のレベルを可変できるような補正方式であればいずれの方法でも構わない。
【産業上の利用可能性】
【００４４】
本発明にかかる撮像装置は、光学レンズを搭載した各種撮像機器にも適用できる。
【図面の簡単な説明】
【００４５】
【図１】本発明の実施の形態１に於ける撮像装置を示したブロック図
【図２】本発明の実施の形態１に於ける周辺光量落ち係数を記憶するメモリテーブルの概略を示す模式図
【図３】本発明の実施の形態１に於ける補正回路の一例を示すブロック図
【図４】本発明の実施の形態１に於ける補正回路の他の一例を示すブロック図
【図５】本発明の実施の形態１に於けるメモリテーブルの構成を示す模式図
【図６】本発明の実施の形態２に於ける撮像装置を示したブロック図
【図７】同実施の形態２に於ける近似補正係数特性を示す特性図
【図８】従来の撮像装置を示したブロック図
【図９】従来の撮像装置における周辺光量特性を示す特性図
【図１０】従来の撮像装置における周辺光量レベルを補正する補正係数特性を示す特性図
【符号の説明】
【００４６】
１    ズームレンズ
２    フォーカスレンズ
３    アイリス
４    撮像素子
５    ＣＤＳ
６    ＡＧＣ
７    ＡＤ変換器
８    乗算回路
９    信号処理回路
１０    補正回路
１１    駆動回路
１２    ズーム制御回路
１３    フォーカス制御回路
１４    アイリス制御回路
１５    ズーム位置検出
１６    フォーカス位置検出
１７    アイリス絞り値検出
１８    制御回路
１９    係数演算回路
２０    メモリ
２１    ＥＥＰＲＯＭ
２２    係数出力回路
３１    第１の減算器
３２    メモリ
３３    第２の減算器
３４    帰還係数回路
３５    輪郭検出回路
３６    コアリング処理回路
３７    アパーチャー加算回路
【図１】
2006157344.tif 000003
【図２】
2006157344.tif 000004
【図３】
2006157344.tif 000005
【図４】
2006157344.tif 000006
【図５】
2006157344.tif 000007
【図６】
2006157344.tif 000008
【図７】
2006157344.tif 000009
【図８】
2006157344.tif 000010
【図９】
2006157344.tif 000011
【図１０】
2006157344.tif 000012